(57)【要約】【課題】本発明は清掃部材保持具に多数回の湾曲動作を反復して与えても亀裂が入ることを抑制し、清掃部材の着脱を妨げることのない清掃用具を提供する。【解決手段】本発明の清掃用具は、清掃用グリップ２と、長さを有する可撓性の清掃部材保持具４と、前記清掃部材保持部４に内挿されておりかつ前記清掃用グリップ２と前記清掃部材保持具４とを連結する折曲げ可能な金属製の連結板３と、前記清掃部材保持具４に着脱可能に装着される清掃部材と、を備える清掃用具であって、前記清掃部材保持具４は、前記連結板３を包含する幹状部１４と、前記幹状部１４の長さ方向に対する略垂直方向において、略同一面上両側に設けられた複数の突起状部１５と、で構成されている。【選択図】図１
2016131657.tif 000002
【特許請求の範囲】
【請求項１】
清掃用グリップと、
長さを有する可撓性の清掃部材保持具と、
前記清掃部材保持部に内挿されておりかつ前記清掃用グリップと前記清掃部材保持具とを連結する折曲げ可能な金属製の連結板と、
前記清掃部材保持具に着脱可能に装着される清掃部材と、を備える清掃用具であって、
前記清掃部材保持具は、前記連結板を包含する幹状部と、前記幹状部の長さ方向に対する略垂直方向において、略同一面上両側に設けられた複数の突起状部と、で構成されていること、を特徴とする清掃用具。
【請求項２】
前記幹状部が、複数の開口部を有し、前記開口部から連結板が外部に見えていること、を特徴とする請求項１に記載の清掃用具。
【請求項３】
前記複数の突起状部が略同一の長さを有すること、を特徴とする請求項１又は２に記載の清掃用具。
【請求項４】
前記突起状部において先端が丸みを有する略円錐形状であること、を特徴とする請求項１〜３のうちのいずれかに記載の清掃用具。
【発明の詳細な説明】
【技術分野】
【０００１】
本発明は、清掃用グリップの先端に、清掃部材を着脱可能な可撓性を有した清掃部材保持具が設けられ、清掃部材を湾曲させて清掃可能な清掃用具に関する。
【背景技術】
【０００２】
室内、車内又は家具等の細かな部分の清掃に用いられるハンディモップ等、従来の清掃用具は、概ね被清掃面に直接接触させて清拭する清掃部材と、該清掃部材を保持する清掃部材保持具と、使用者が操作するためのグリップと、によって構成されている。
【０００３】
この種の清掃用具としては、清掃作業によって清掃部材が汚れると、清掃部材保持具から当該清掃部材を抜去し、洗滌して繰り返し使用するものや、当該清掃部材そのものを使い捨てて交換するものが広く利用されている(例えば特許文献１（特開２００５―１４４１９９号公報）参照)。
【０００４】
ここで、図６に、上述した従来の清掃用具における一例を示す。図６は、従来の清掃用具を略平面に配置し、一部を断面視した状態を示す平面図である。この清掃用具は、清掃用グリップ１０１と、湾曲及び湾曲後の形状保持が可能な連結板１０２と、清掃部材保持具１０３と、モップ状の清掃部材１０４と、で構成されている。そして、清掃部材保持具１０３は、可撓性を有する樹脂を用いて扁平形状に形成されており、外周部全周に清掃部材保持具１０３における平面の水平軸に対し、垂直に辺縁部１０５を設けることによって、一定の強度を確保している。
【０００５】
この図６に示す清掃用具は、清掃部材保持具１０３にモップ状の清掃部材１０４を着脱することができ、清掃作業によって汚れたモップ状の清掃部材１０４をメンテナンス可能とされており、モップ状の清掃部材１０４を清掃部材保持具１０３に装着した状態で、連結板１０２および清掃部材保持具１０３を湾曲させることで、様々な被清掃面に対応して清掃することが可能となっている。
【先行技術文献】
【特許文献】
【０００６】
【特許文献１】特開２００５―１４４１９９号公報
【発明の概要】
【発明が解決しようとする課題】
【０００７】
しかしながら、上記のような図６に示す従来の清掃用具では、長期使用による劣化及び多数回の湾曲動作の反復で、清掃部材保持具１０３の辺縁部１０５に疲労が蓄積し、亀裂が生じてしまう。このような亀裂が生じると、清掃部材保持具１０３にモップ状の清掃部材１０４を着脱する際、モップ状の清掃部材１０４の内部に接する辺縁部１０５の亀裂部分が引っ掛かり、モップ状の清掃部材１０４の着脱を困難にしてしまうという問題があった。
【０００８】
そこで、本発明は、上記のような従来の清掃用具の問題に鑑みて創作されたものであり、清掃部材保持具に多数回の湾曲動作を反復して与えても亀裂が生じることを抑制し、清掃部材の着脱を妨げることのない清掃用具を提供することを目的とする。
【課題を解決するための手段】
【０００９】
清掃用グリップ２と、
長さを有する可撓性の清掃部材保持具４と、
前記清掃部材保持具４に内挿されておりかつ前記清掃用グリップ２と前記清掃部材保持具４とを連結する折曲げ可能な金属製の連結板３と、
前記清掃部材保持具４に着脱可能に装着される清掃部材と、を備える清掃用具であって、
前記清掃部材保持具４は、前記連結板３を包含する幹状部１４と、前記幹状部１４の長さ方向に対する略垂直方向において、略同一面上両側に設けられた複数の突起状部１５と、で構成されていること、
を特徴とする清掃用具を提供する。
【００１０】
上記のような構成を有する本発明の清掃用具においては、更に、前記幹状部１４が、複数の開口部を有し、前記開口部から連結板３が外部に見えていることが好ましい。
【００１１】
また、上記のような構成を有する本発明の清掃用具においては、前記複数の突起状部１５が略同一の長さを有することが好ましい。
【００１２】
更に、上記のような構成を有する本発明の清掃用具においては、前記突起状部１５において先端が丸みを有する略円錐形状であることが好ましい。
【発明の効果】
【００１３】
本発明は、可撓性を有する清掃部材保持具４の外周部を、複数の突起状部１５で構成することにより、連結板３とともに清掃部材保持具４を反復して湾曲させたり戻したりしても、清掃部材と接する部分である上記の突起状部１５が疲労により亀裂を生じない。この結果、本発明の清掃用具を長期使用しても、清掃部材保持具４を清掃部材の内部に挿入する際、清掃部材保持具４の外周部が清掃部材の内面に引掛かることを好適に防止することができる。
【図面の簡単な説明】
【００１４】
【図１】本発明の一実施形態に係る清掃用具の、一部を断面視した状態を示す略平面図である。
【図２】図１に示す清掃用具１における清掃部材の一部を拡大した状態を示す部分拡大図である。
【図３】図１に示す清掃用具１における清掃部材保持具４を略平面に配置した状態を示す平面図である。
【図４】図１に示す清掃用具１を用いて被清掃面を清掃する状態を示す模式図である。
【図５】図１に示す清掃用具１における連結板３と、清掃部材保持具４と、清掃部材５と、を略Ｊ字状に湾曲させて被清掃面を清掃する状態を示す模式図である。
【図６】従来の清掃用具の平面図である。
【発明を実施するための形態】
【００１５】
以下、本発明に係る清掃用具の代表的な実施形態を、図１〜図５を参照しながら詳細に説明するが、本発明は図示されるものに限られないことはいうまでもない。また、各図面は本発明を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１６】
図１は、本発明の実施形態に係る清掃用具１を略平面に配置し、一部を断面視した状態を示す平面図である。図１に示すように、本実施形態の清掃用具１は、概ね、清掃用グリップ２と、連結板３と、清掃部材保持具４と、モップ状の清掃部材５と、で構成されている。
【００１７】
清掃用グリップ２は、合成樹脂を射出成形することによって略円柱状に形成されており、表面には使用中に手が滑ることを防止する溝状凹凸９が全周にわたって設けられ、後端には壁面の鉤等に引掛け可能な孔１０が設けられている。また、清掃用グリップ２の先端には、曲げて湾曲可能でかつ湾曲前後の形状が保持可能な連結板３が設けられており、連結板３を用いることで清掃用グリップ２と、後述する可撓性を有した清掃部材保持具４と、が連結されている。
【００１８】
モップ状の清掃部材５は、概ね、基布７と、モップ繊維体のパイル材６と、で構成されており、基布７の布材における素繊維には綿繊維やナイロン等の合成化学繊維を使用することが望ましい。複数のパイル材６は基布７の表面に植設され、パイル材６が外側に配置されるよう基布７を略長方形の袋状に縫着されている。
【００１９】
基布７の縫着方法としては種々の方法が採用可能であるが、図２に示すように、基布７の切断部をそのまま使用せず、基布７の端部８を折り返して重ね、その重なり部分の両側端を縫着すれば、布糸の解れを防止して長期使用を可能とする優れた耐久性を具備することができる。
【００２０】
清掃部材保持具４は、モップ状の清掃部材５の基布７が構成する略長方形の袋状部分の内部に着脱可能に挿入することが可能であり、モップ状の清掃部材５を装着して一体となるよう構成されている。従って、清掃作業後に清掃部材保持具４からモップ状の清掃部材５を抜去し、モップ状の清掃部材５に付着した塵芥や汚れを取り除く等のメンテナンスや、新しいモップ状の清掃部材５への取り替えを容易に行うことが可能である。
【００２１】
次に、図３を用いて清掃部材保持具４の詳細について説明する。図３は、本実施形態の清掃用具１における清掃部材保持具４を略平面に配置した状態を示す平面図である。清掃部材保持具４は、可撓性を有した樹脂を用いて扁平形状に形成されており、連結板３を連結する幹状部１４と、先端が丸みを帯びるように形成された保持具先端部１１と、保持具末端部１２と、複数の突起状部１５と、で構成されている。
【００２２】
保持具先端部１１及び保持具末端部１２の外周部には、幹状部１４における平面の水平軸に対して略垂直方向に略矩形状の辺縁部１３が設けられていることにより、保持具先端部１１及び保持具末端部１２は一定の強度を確保している。
【００２３】
また、突起状部１５は、保持具先端部１１及び保持具末端部１２の間において、幹状部１４の長さ方向に対して略垂直方向において、略同一面上両側に連続して等間隔で配置されている。従って、突起状部１５の先端は個々が独立しており、外部から加えられた力により干渉し合わない特徴を有する。更に、突起状部１５は先端が丸みを帯びた略円錐形状を有している。
【００２４】
次に、図４を用い、本実施形態の清掃用具１を使用する清掃方法について説明する。図４は、本実施形態の清掃用具１を用いて被清掃面２１を清掃する状態を示す模式図である。
【００２５】
使用者は清掃部材保持具４にモップ状の清掃部材５を装着した状態で、清掃用グリップ２を把持し、所望の被清掃面２１にモップ状の清掃部材５を当てて被清掃面２１を清掃する。具体的には、モップ状の清掃部材５を被清掃面２１に付着した塵芥又は汚れの範囲や量に応じて往復清拭し、被清掃面２１に付着した塵芥又は汚れをモップ状の清掃部材５で絡め取ることで被清掃面２１の清掃作業を完了させる。
【００２６】
次に、図５を用い、本実施形態の清掃用具１を湾曲させて使用した清掃方法について説明する。図５は、清掃用具１における連結板３と、清掃部材保持具４と、清掃部材５と、を略Ｊ字状に湾曲させて被清掃面２１を清掃する状態を示す模式図である。
【００２７】
被清掃面２１が高位置、低位置又は隙間等に位置する場合、使用者は清掃用具１を任意に湾曲させて被清掃面２１の位置に適した形状に変形させてより確実に清掃作業をすることができる。特に被清掃面２１が高位置にあって目視できない場合でも、より確実に清掃作業をすることができる。
【００２８】
図５に示すように、清掃用グリップ２と、清掃部材保持具４と、を連結している連結板３は、加えられた力に応じて湾曲することが可能で、更に湾曲した状態で形状を保持することが可能な構成を有している。これにより、連結板３の湾曲に応じて連結板３に連結された清掃部材保持具４と、清掃部材保持具４に装着されたモップ状の清掃部材５と、が共に湾曲し、清掃用具１を被清掃面２１の位置に適した形状に変更して清掃に使用することが可能となる。
【００２９】
更に、清掃部材保持具４の外周部は、個々が独立した複数の突起状部１５から構成されているため、清掃部材保持具４の湾曲時に突起状部１５の個々が互いに押し合ったり引っ張り合ったりする等の干渉を起こさない。これにより、清掃用具１の長期使用による劣化及び湾曲の反復によっても、清掃部材５の内面と接する部分に引っかかるような亀裂が発生することを略恒久的に抑制することが可能である。
【００３０】
清掃作業が終了した後、清掃部材５に付着した塵芥等を払い落とす際には、清掃用グリップ２を把持して軽く振るだけで、連結板３及び清掃部材保持具４が有する可撓性が作用し、清掃用具１を撓り易い。これにより、清掃部材５の簡易的なメンテナンスも効率的に行うことができ、清掃作業性の向上にも寄与する。
【００３１】
次に、清掃部材保持具４に清掃部材５を着脱する方法について説明する。装着時、まず使用者は清掃用グリップ２を把持した状態で、清掃用グリップ２を把持した手とは逆の手の指を用いて清掃部材５の保持具挿入孔を摘む。次に、清掃部材保持具４の保持具先端部１１を保持具挿入孔から清掃部材５内部へ挿入する。
【００３２】
保持具先端部１１が清掃部材５内部へ挿入された後、清掃用グリップ２を把持した手を離して幹状部１４を把持し、保持具挿入孔を摘んだ手を用いて徐々に清掃部材５を清掃用グリップ２側へ手繰り寄せながら全ての突起状部１５を清掃部材５内部へ挿入する。全ての突起状部１５が清掃部材５内部へ挿入された後、幹状部１４を把持した手を離して再び清掃用グリップ２を把持し、保持具末端部１２が清掃部材５内部に収まるまで挿入する。以上の作業により、清掃部材保持具４に清掃部材５を装着完了となる。
【００３３】
続いて抜去時は、まず使用者が清掃用グリップ２を把持した状態で、清掃用グリップ２を把持した手とは逆の手の指を用いて清掃部材５の保持具挿入孔を摘む。次に、清掃部材保持具４の保持具末端部１２を清掃部材５内部から抜去する。
【００３４】
保持具末端部１２が清掃部材５から抜去された後、清掃用グリップ２を把持した手を離して幹状部１４を把持し、保持具挿入孔を摘んだ手を用いて徐々に清掃部材５を保持具先端部１１側へ引き離しながら全ての突起状部１５を清掃部材５内部から抜去する。全ての突起状部１５が清掃部材５内部から抜去された後、清掃部材５から保持具先端部１１を抜去し、清掃部材保持具４から清掃部材５を抜去完了となる。
【００３５】
上述したように、清掃部材保持具４に清掃部材５を着脱する際、清掃部材保持具４の外周部が複数の独立した突起状部１５で構成されているため、突起状部１５を湾曲させながら清掃部材５の着脱作業を簡便化することが可能である。更に、詳述した通り、本実施形態の清掃用具１における清掃部材保持具４は、従来の清掃用具のように外周部全域に辺縁部が一体構成されていないため、清掃部材保持具４の繰り返し湾曲による亀裂等が発生せず、着脱時に清掃部材保持具４が清掃部材５内部に引掛かることがない。
【００３６】
以上、本発明の代表的な実施形態について図面を参照しつつ説明してきたが、本発明は、これらの実施形態に限定されるものではなく、特許請求の範囲の記載の精神及び教示を逸脱しない範囲でその他の改良例、変形が存在することを当業者に容易に理解されるであろう。
【産業上の利用可能性】
【００３７】
本発明の清掃用具は、清掃部材を保持する保持具の外周部を複数の突起状部で構成することにより、劣化または湾曲の反復で亀裂が発生することを抑制し、当該清掃部材の着脱を容易にすることができる。その結果、ハンディモップ等清掃用具の更なる長寿命化に寄与するものである。
【符号の説明】
【００３８】
１      清掃用具
２      清掃用グリップ
３      連結板
４      清掃部材保持具
５      モップ状の清掃部材
６      パイル材
７      基布
８      端部
９      溝状凹凸
１０    孔
１１    保持具先端部
１２    保持具末端部
１３    辺縁部
１４    幹状部
１５    突起状部
２１    被清掃面
１０１  清掃用グリップ
１０２  連結板
１０３  清掃部材保持具
１０４  モップ状の清掃部材
１０５  辺縁部
【図１】
2016131657.tif 000003
【図２】
2016131657.tif 000004
【図３】
2016131657.tif 000005
【図４】
2016131657.tif 000006
【図５】
2016131657.tif 000007
【図６】
2016131657.tif 000008